(57)【特許請求の範囲】
【請求項１】
支持台上部に立設される揚送筒本体と該揚送筒本体の一側面に複数の止め金具を設ける一方、該揚送筒本体の他側面に軸支金具を設け、前記軸支金具によって前記揚送筒本体の他側に対して開閉自在に軸支されると共に前記複数の止め金具によって前記揚送筒本体の一側に対して係合されるガイドレールカバーとの間に形成される隙間によりパチンコ玉の挟持圧を調整してパチンコ玉を研磨揚送する玉磨き揚送装置において、
前記止め金具は、前記揚送筒本体の一側面に締着される支持板と、該支持板に揺動自在に軸止され且つその先端に前記ガイドレールカバーから突設される係合突起と係合する係合溝を有する揺動板と、からなり、
前記揚送筒本体一側の複数箇所に設けられた止め金具の各揺動板を連結部にて連結した連結杆を移動させることにより前記係合突起と前記係合溝との係合状態を一度に解除するようにしたことを特徴とする玉磨き揚送装置。
【請求項２】
前記止め金具は、前記揺動板の前記連結部と反対側の先端部が前記揚送筒本体の下方向に向って回動することにより、前記係合溝と前記係合突起とが係合するように構成されると共に、その係合する方向に付勢するスプリングを含んで構成されることを特徴とする請求項１記載の玉磨き揚送装置。
【請求項３】
前記連結杆に該連結杆を移動させるための係止機構を設け、該係止機構は、前記連結杆を前記揚送筒本体の下方向に向って移動させることにより、前記係合突起と前記係合溝との係合状態を一度に解除するようにしたことを特徴とする請求項１又は２記載の玉磨き揚送装置。
【発明の詳細な説明】
【技術分野】
【０００１】
本発明は、支持台上部に立設される揚送筒本体と該揚送筒本体の一側面に複数の止め金具を設ける一方、該揚送筒本体の他側面に軸支金具を設け、前記軸支金具によって前記揚送筒本体の他側に対して開閉自在に軸支されると共に前記複数の止め金具によって前記揚送筒本体の一側に対して係合されるガイドレールカバーとの間に形成される隙間によりパチンコ玉の挟持圧を調整してパチンコ玉を研磨揚送する玉磨き揚送装置に関するものである。
【背景技術】
【０００２】
従来、搬送ベルトが周回する揚送筒本体と、該揚送筒本体の一側のベルト周回面を覆い且つ布ベルトが敷設されるガイドレールカバーとは、図８及び図９に示すような構造となっていた。即ち、揚送筒本体３の一方側面の複数箇所にカバー軸支金具６０が固着され、他方側面の複数箇所に止め金具としてのカバー係止金具５０が固着されている。そして、カバー軸支金具６０は、長方形状のスライド板６１に横長の調節用移動孔６２を形成してその調節用移動孔６２に２つの固定ボルト６３を螺着し且つスライド板６１の先端にガイドレールカバー１４に固着される軸受部材６５の軸受部６６と一致せしめられて軸ピン６７が挿入される軸受部６４が形成されている。また、カバー係止金具５０は、その中心を支点ボルト５２で揺動自在に軸支される揺動板５１の下部に横長の調節用移動孔５３を形成してその調節用移動孔５３に固定ボルト５４を螺着し且つ揺動板５１の上部に連結軸５５を介して係止レバー５６を連結し、その係止レバー５６の先端に形成される係止溝５７をガイドレールカバー１７に突設形成される係止突起２１に係合させるようになっている。
【０００３】
上記のように構成される玉磨き揚送装置の揚送筒本体３とガイドレールカバー１４とは、カバー係止金具５０の係止レバー５６を上方に回動させて係止溝５７と係止突起２１との係合状態を解除し、その状態でカバー軸支金具６０の軸ピン６７を中心としてガイドレールカバー１４を揚送筒本体３に対して開閉自在にし、その開放状態で搬送ベルトや布ベルトの交換作業を行うものである。また、ガイドレールカバー１４を閉じた状態で揚送筒本体３に周回せしめられる搬送ベルトとガイドレールカバー１４に敷設される布ベルトとを対面させると共に、その間にパチンコ玉を挟持して該パチンコ玉を下部から上部に揚送するものであるが、その際、揚送筒本体３とガイドレールカバー１４との隙間２２を調節することにより、搬送ベルトと布ベルトとによるパチンコ玉への挟持力を調節して揚送能力や研磨能力を維持するようにしていた。
【発明の開示】
【発明が解決しようとする課題】
【０００４】
しかして、揚送筒本体３に対してガイドレールカバー１４を開閉するには、図８に示すように、高さ方向に寸法のある玉磨き揚送装置１の複数箇所に設けられるカバー係止金具５０のうち、最上方にあるカバー係止金具５０の係合状態の解除は、脚立等を用意して操作し、最下方にあるカバー係止金具５０の係合状態の解除は、腰を屈めて操作しなければならず、極めて面倒な作業を強いられていた。本発明は、上記した事情に鑑みなされたもので、その目的とするところは、揚送筒本体に対するガイドレールカバーの係合状態の解除を簡単に行うことが可能な玉磨き揚送装置を提供することにある。
【課題を解決するための手段】
【０００５】
上記した目的を達成するために、請求項１に係る発明においては、支持台上部に立設される揚送筒本体と該揚送筒本体の一側面に複数の止め金具を設ける一方、該揚送筒本体の他側面に軸支金具を設け、前記軸支金具によって前記揚送筒本体の他側に対して開閉自在に軸支されると共に前記複数の止め金具によって前記揚送筒本体の一側に対して係合されるガイドレールカバーとの間に形成される隙間によりパチンコ玉の挟持圧を調整してパチンコ玉を研磨揚送する玉磨き揚送装置において、前記止め金具は、前記揚送筒本体の一側面に締着される支持板と、該支持板に揺動自在に軸止され且つその先端に前記ガイドレールカバーから突設される係合突起と係合する係合溝を有する揺動板と、からなり、前記揚送筒本体一側の複数箇所に設けられた止め金具の各揺動板を連結部にて連結した連結杆を移動させることにより前記係合突起と前記係合溝との係合状態を一度に解除するようにしたことを特徴とする。
【０００６】
また、請求項２に係る発明のように、前記止め金具は、前記揺動板の前記連結部と反対側の先端部が前記揚送筒本体の下方向に向って回動することにより、前記係合溝と前記係合突起とが係合するように構成されると共に、その係合する方向に付勢するスプリングを含んで構成したり、請求項３に係る発明のように、前記連結杆に該連結杆を移動させるための係止機構を設け、該係止機構は、前記連結杆を前記揚送筒本体の下方向に向って移動させることにより、前記係合突起と前記係合溝との係合状態を一度に解除するようにしても良い。
【発明の効果】
【０００７】
本発明においては、連結杆を移動させることにより、全ての止め金具の揺動板が係合溝と係合突起との係合状態が解除される方向に移動するので、１回の操作で簡単にガイドレールカバーを揚送筒本体から取り外すことができる。
【０００８】
また、係合溝と係合突起とが係合する方向に付勢するスプリングを設けることにより、係合時にそれらの係合を確実に行うことができ、更に連結杆に設けられる係止機構で各揺動板を揺動係止し得るように構成した場合には、ワンタッチで全ての止め金具の係合状態を解除することができ、容易に布ベルト等の交換作業を行うことができる。
【発明を実施するための最良の形態】
【０００９】
以下、図面を参照して、本発明の実施の形態について説明する。まず、本実施形態の要部を構成する玉磨き揚送装置１の全体の構成について図１乃至図５を参照して説明する。図１は、玉磨き揚送装置１の側面図であり、図２は、玉磨き揚送装置１０を後方から見た斜視図であり、図３は、玉磨き揚送装置１０のガイドレールカバー１４を取り外した状態の後方から見た斜視図であり、図４は、図１のＢ−Ｂ線で切断した斜視図であり、図５は、図１のＡ−Ａ線で切断した断面図である。ただし、各図においては、ガイドレールカバー１４の背面に取り付けられる布ベルトの自動巻取機構の図示が省略されている。
【００１０】
図において、玉磨き揚送装置１は、支持台２の上部に揚送筒本体３が垂直状に立設され、揚送筒本体３の周囲を下部に支持される下部ローラ４と上部ローラ５との間に掛け渡される革製の搬送ベルト６が周回するようになっている。この搬送ベルト６の周回駆動は、支持台２に固着されるモータ取付台７に載置固定されるモータ８と下部ローラ４とがＶベルト９によって連結されることによって行われる。また、搬送ベルト６に張力を付与するために複数のテンションローラ１０が下部ローラ４の上部の揚送筒本体３に取り付けられている。そして、揚送筒本体３の下部には、玉磨き前のパチンコ玉が流入する導入樋１１が接続され、揚送筒本体３の上部には、玉磨き後のパチンコ玉が排出される上部屈曲樋１２及び排出樋１３が形成されている。したがって、導入樋１１から流入したパチンコ玉は、搬送ベルト６によって揚送され、排出樋１３から排出されるが、その揚送される過程で後述する布ベルト１７との摩擦力によってパチンコ玉に付着した汚れが拭き取られ、排出樋１３からは、きれいにされたパチンコ玉が排出されることになる。なお、揚送筒本体３の内部には、図４及び図５に示すように、ほぼ等間隔に内部案内ローラ２３が回転自在に軸支され、その内部案内ローラ２３の前端部（布ベルト１７と対面する側）が揚送筒本体３に形成された長方形状の臨設窓（図示しない）に臨んで搬送ベルト６に当接し、これによって搬送ベルト６の周回動作を案内している。
【００１１】
一方、前記した揚送筒本体３の背面側には、ガイドレールカバー１４が着脱自在に取り付けられるようになっている。このガイドレールカバー１４は、前記搬送ベルト６や布ベルト１７を玉磨き揚送装置１に装着する際に取り外されるものであると共に、布ベルト１７自体がガイドレールカバー１４を周回するように装着される。そして、搬送ベルト６や布ベルト１７が装着された時には、止め金具３０によってガイドレールカバー１４を揚送筒本体３に対面させた状態に維持される。ただし、後に詳述するが、揚送筒本体３とガイドレールカバー１４との間には、隙間２２が形成されることとなるが、この隙間２２は、止め金具３０の支持板３１の調節長孔３３によってその寸法を設定することができ、その設定値に応じて揚送されるパチンコ玉への圧力を変化させることができる。
【００１２】
ところで、上記したガイドレールカバー１４は、図４及び図５に示すように、その内部にその背面を多数のスプリング１６で押圧されると共にその前面にパチンコ玉が嵌り込む半円形状の凹部が形成されるレール溝形成部材１５が収納設置されており、その背面に使用前のロール状布ベルトを装着する使用前布ベルト装着部１８と使用済の布ベルトをロール状に巻き取るための使用済布ベルト装着部１９とが設けられ、その上端後部に布ベルトを案内するためのローラ２０が設けられている。しかして、使用前布ベルト装着部１８に装着された布ベルト１７は、ガイドレールカバー１４の下端からレール溝形成部材１５の前面を通ってローラ２０に掛け渡され、その後、使用済布ベルト装着部１９に巻き付けられる。そして、そのように布ベルト１７を装着した状態で止め金具３０でガイドレールカバー１４を揚送筒本体３に装着することにより、布ベルト１７と搬送ベルト６とを対面させ、搬送ベルト６を周回動作させることによりパチンコ玉がレール溝形成部材１５の凹部に嵌り込みながら且つスプリング１６に押圧されて布ベルト１７に汚れをふき取られながら上昇するものである。なお、営業終了時には、使用前布ベルト装着部１８に設けられるチャッキング装置を緩めて布ベルト１７が移動し得るようにした状態で、裏面上部の布ベルト１７を引っ張って未使用面をガイドレールカバー１４の前面側に位置させるようにし、その引っ張って余った布ベルト１７を使用済ベルト装着部１９を巻き付け、前記チャキング装置を締め付ける。これによって、翌日の研磨に対する準備が終了する。なお、この布ベルト１７の巻き取り作業は、ガイドレールカバー１４を揚送筒本体３から取り外した状態で行っても、あるいは取り付けたままの状態でも行うことができるが、新規な布ベルト１７を交換する場合には、ガイドレールカバー１４を揚送筒本体３から取り外し必要がある。
【００１３】
また、上記した玉磨き揚送装置１の揚送筒本体３とガイドレールカバー１４とは、止め金具３０によって取り付けられるが、その止め金具３０の構成について図４乃至図７を参照して説明する。図４及び図５は、前述した通りであり、図６は、係合状態時の止め金具３０の拡大側面図であり、図７は、解放時の止め金具３０の拡大側面図である。
【００１４】
図において、止め金具３０は、揚送筒本体３の側面に水平方向に移動可能に締着され且つその先端部でガイドレールカバー１４の側面から突設される係合突起２１を支持する支持板３１と、該支持板３１に揺動自在に軸支され且つその先端に係合突起２１と係合する係合溝３７を有する揺動板３６と、該揺動板３６を係合溝３７が係合突起２１に係合する方向に付勢するスプリング３９と、から構成されている。
【００１５】
より詳細には、支持板３１は、下部先端がガイドレールカバー１４側まで延設される支持延設部３２を有するＬ字状の板材であり、その支持延設部３２の上辺にガイドレールカバー１４の係合突起２１が載置されるようになっている。また、支持板３１の後端上下には、水平方向に長い調節長孔３３が穿設され、該調節長孔３３に固定ボルト３４を貫入して揚送筒本体３の側面に螺着することにより支持板３１を揚送筒本体３に固定している。また、支持板３１に揺動自在に軸支される揺動板３６は、その後部中央の支点３８を中心にして揺動されるが、その揺動板３６に突設される係止突起３９ａと支持板３１に突設される係止突起３９ｂとの間に掛け渡されるスプリング３９によって、揺動板３６の先端下部に形成される係合溝３７が前記係合突起２１と係合するように付勢され、その付勢時の揺動板３６の下方への回動をストップするストッパー突起３５が支持板３１に突設されている。
【００１６】
上記のように構成される止め金具３０においては、支持延設部３２と揺動板３６の係合溝３７とでガイドレールカバー１４の係合突起２１を挟持してガイドレールカバー１４を保持した状態とするので、固定ボルト３４を緩めて支持板３１を調節長孔３３に沿って移動させて所望の位置で固定ボルト３４を螺着することにより、ガイドレールカバー１４と揚送筒本体３との隙間２２の寸法を調節し、パチンコ玉の挟持圧を調節して最適な揚送能力を得ることができるようになっている。
【００１７】
ところで、止め金具３０の揺動板３６の後端の連結部４０には、上下方向に延びる連結杆４１の連結片４２が止着されている。連結杆４１は、図１に示すように、揚送筒本体３の一方の側面に固着される複数（図示では、５個）の止め金具３０の揺動板３６のすべてに連結されるものであり、図示の実施形態においては、揚送筒本体３の他方の側面に固着される複数の止め金具３０の揺動板３６の全部も一本の連結杆４１で連結されている。そして、左右の連結杆４１のほぼ中央を板状の受板４３で連結し、その受板４３の一側から揚送筒本体３の側面に沿って折曲片４４が折曲形成されている。折曲片４４には、引掛受片４５が形成され、その引掛受片４５に揚送筒本体３の側面に固着されるキャッチクリップ４６の引掛具４７が引っ掛け得るようになっている。キャッチクリップ４６は、周知のように、上端を回動自在に軸支されるレバー４８と該レバー４８に回動自在に設けられる方形環状（必ずしも方形である必要はない）の引掛具４７とからなり、引掛具４７を折曲片４４の引掛受片４５に係止してレバー４８を下方に回動することにより、受板４３を介して左右両方の連結杆４１が下方に移動する。したがって、折曲片４４の引掛受片４５及びキャッチクリップ４６は、係止機構を構成するものである。
【００１８】
以上、本実施形態に係る玉磨き揚送装置１の構成について説明してきたが、本実施形態によれば、ガイドレールカバー１４を揚送筒本体３に対して着脱自在に取り付ける止め金具３０を、揚送筒本体３の側面に水平方向に移動可能に締着され且つその先端部でガイドレールカバー１４の側面から突設される係合突起２１を支持する支持板３１と、該支持板３１に揺動自在に軸支され且つその先端に係合突起２１と係合する係合溝３７を有する揺動板３６と、該揺動板３６を係合溝３７が係合突起２１に係合する方向に付勢するスプリング３９と、から構成し、複数箇所の止め金具３０の各揺動板３６の後端を一本の連結杆４１で連結し、該連結杆４１には、スプリング３９の付勢力に抗して揺動板３６を揺動した位置で係止する係止機構としての引掛受片４５及びキャッチクリップ４６を設けたので、係止機構の一方を構成するキャッチクリップ４６の引掛具４７を係止機構の他方を構成する引掛受片４５に係止してキャッチクリップ４６のレバー４８を下方に押し上げることにより、連結杆４１が下方に移動して全ての止め金具３０の揺動板３６の先端部を上昇せしめるので、係合溝３７と係合突起２１との係合状態が解除され、１回の操作で簡単にガイドレールカバー１４を揚送筒本体３から取り外すことができる。
【００１９】
特に、本実施形態においては、止め金具３０を、揚送筒本体３両側面の同一高さ位置に一対設け、一方の側面側に設けられる複数箇所の止め金具３０の各揺動板３６の後端を連結した連結杆４１と他方の側面側に設けられる複数箇所の止め金具３０の各揺動板３６の後端を連結した連結杆４１とを受板４３で連結して一方の連結杆４１に設けられる係止機構としての引掛受片４５及びキャッチクリップ４６で両側面の各揺動板３６を揺動係止し得るようにしたので、ワンタッチで両側の全ての止め金具３０の係合状態を解除することができ、容易に布ベルト１７等の交換作業を行うことができる。
【００２０】
なお、上記した実施形態では、揚送筒本体３の両側面に止め金具３０を設けたものを示したが、止め金具３０を揚送筒本体３の一側だけに設け、他側には、図９（Ｂ）に示すカバー軸支金具６０を取り付けて、ガイドレールカバー１４を揚送筒本体３に対して開閉自在としても良い。また、係止機構として引掛受片４５及びキャッチクリップ４６とからなる極めて簡単な構成のものを示したが、連結杆４１を押し下げた状態で保持し得る構成であれば、どのような構造のものでも良い。
【図面の簡単な説明】
【００２１】
【図１】玉磨き揚送装置の側面図である。
【図２】玉磨き揚送装置を後方から見た斜視図である。
【図３】玉磨き揚送装置のガイドレールカバーを取り外した状態の後方から見た斜視図である。
【図４】図１のＢ−Ｂ線で切断した斜視図である。
【図５】図１のＡ−Ａ線で切断した断面図である。
【図６】係合状態時の止め金具の拡大側面図である。
【図７】解放時の止め金具の拡大側面図である。
【図８】従来の止め金具が使用された玉磨き揚送装置の側面図である。
【図９】従来の止め金具の構造を示す拡大側面図である。
【符号の説明】
【００２２】
１  玉磨き揚送装置
２  支持台
３  揚送筒本体
６  搬送ベルト
１４  ガイドレールカバー
１７  布ベルト
２１  係合突起
２２  隙間
３０  止め金具
３１  支持板
３２  支持延設部
３３  調節長孔
３４  固定ボルト
３６  揺動板
３７  係合溝
３８  支点
３９  スプリング
４１  連結杆
４３  受板
４４  折曲片
４５  引掛受片（係止機構）
４６  キャッチクリップ（係止機構）
４７  引掛具
４８  レバー
【図１】
0004420031.tif 000002
【図２】
0004420031.tif 000003
【図３】
0004420031.tif 000004
【図４】
0004420031.tif 000005
【図５】
0004420031.tif 000006
【図６】
0004420031.tif 000007
【図７】
0004420031.tif 000008
【図８】
0004420031.tif 000009
【図９】
0004420031.tif 000010